(57)【要約】　　　（修正有）【課題】モニター部の角度を自由に変更でき、優れた位置決め効果を達成でき、全体の構造が非常に単純である。【解決手段】連結部材（１０）と、二つの枢転部材（２０）と、固設座（３０）と、台座（４０）とを有し、背面に固設座（３０）が固設され、上方の枢転部材（２０）と、下方の枢転部材（２０）が設置され、連結部材（１０）の両側に固設端（１１，１２）が設けられ、一方の固設端（１１）は上方の枢転部材（２０）に固設されると共に、他方の固設端（１２）は下方の枢転部材（２０）に固設され、枢転部材（２０）の少なくとも一つは軸ロッド（２１）を備え、その両端にロッド端（２１３）が設けられると共に、ロッド端（２１３）上に固定座（２２）、弾性プレート（２４）及びプレート部材（２３）が環装されることにより、押し付け固定状態にする。【選択図】　　図１
0003097908.tif 000002
【実用新案登録請求の範囲】
【請求項１】
液晶モニターを有する液晶ディスプレイの支持構造であって、
連結部材（１０）と、二つの枢転部材（２０）と、固設座（３０）と、台座（４０）とを有し、液晶モニターの背面に固設座（３０）が固設され、その固設座（３０）の下部に上方の枢転部材（２０）が設置されると共に、台座（４０）の一端に下方の枢転部材（２０）が設置され、
連結部材（１０）の両側にそれぞれ外側へ延出する固設端（１１，１２）が設けられ、一方の固設端（１１）は上方の枢転部材（２０）に固設されると共に、他方の固設端（１２）は下方の枢転部材（２０）に固設され、
前記枢転部材（２０）の少なくとも一つは軸ロッド（２１）を備え、その両端にそれぞれ外側へ延出するロッド端（２１３）が設けられると共に、ロッド端（２１３）上に固定座（２２）、弾性プレート（２４）及びプレート部材（２３）が環装されることにより、押し付け固定状態にすることを特徴とする、液晶ディスプレイの支持構造。
【請求項２】
前記固設座（３０）の一端に枢転部材（２０）の固定座（２２）と連結するための固設端（３１）が延設されることを特徴とする、請求項１に記載の液晶ディスプレイの支持構造。
【請求項３】
前記台座（４０）は、座体（４１）と、枢転部材（２０）の固定座（２２）と連結される固定プレート（４２）とからなることを特徴とする、請求項１又は２に記載の液晶ディスプレイの支持構造。
【考案の詳細な説明】
【０００１】
【考案の属する技術分野】
本考案は、特に枢転動作によりモニター部の角度を自由に変更できると共に、優れた位置決め効果を達成でき、且つ全体の構造が非常に単純である液晶ディスプレイの支持構造に関するものである。
【０００２】
【従来の技術】
現有の液晶ディスプレイはデスクトップ型コンピュータなどに広く使用され、優れた表示効果以外に、極めて軽量で、場所を取らないなどの特徴を有する。更に、通常液晶ディスプレイの支持構造は枢転可能な設計であり、モニター部を台座上で好みの高さや角度に調整できることから、身長の高低にかかわらず各使用者の目線の高さに合せることができるので、利便性に優れている。
【０００３】
また、図５に示すように、現有の液晶ディスプレイの支持構造は、モニター部（５０）と台座（７０）との間に、枢設部材（６１）、軸ロッド（６２）、固定ロッド（６３）、連結部材（６４）、トーションバネ（６５）及び連結ロッド（６６）から成る枢転部材（６０）が組み合わされ、その中の枢設部材（６１）はモニター部（５０）の背面底端に固設されると共に、台座（７０）の表面に開口（７１）が形成され、開口（７１）の内面両側にそれぞれ軸ロッド（６２）及び固定ロッド（６３）が組み合わされ、それら軸ロッド（６２）と固定ロッド（６３）との間に一定の空間が形成される。更に、連結部材（６４）の一端は枢転部材（６０）上に枢転可能に枢設されると共に、他端は軸ロッド（６２）と固定ロッド（６３）との間に枢転可能に枢設され、そして、トーションバネ（６５）は軸ロッド（６２）上に組み合わされると共に、その両端はそれぞれ連結部材（６４）の側辺及び軸ロッド（６２）上に固設され、連結ロッド（６６）の両端はそれぞれ枢設部材（６１）の側辺及び固定ロッド（６３）上に固設される。
【０００４】
図６に示すように、上記構成によれば、前記モニター部（５０）は台座（７０）の上方において枢転可能であることから、モニター部（５０）を台座（７０）上で好みの高さや角度に調整できるので、身長の高低にかかわらず各使用者の目線の高さに合せることができ、更に、台座（７０）にはモニター部（５０）を支持固定する効果も有する。
【０００５】
【考案が解決しようとする課題】
しかし、前記現有の液晶ディスプレイの支持構造は、次に示すような欠点を有する。
１．枢転部材（６０）は枢設部材（６１）、軸ロッド（６２）、固定ロッド（６３）、連結部材（６４）、トーションバネ（６５）及び連結ロッド（６６）などから成ることから、全体の構成が非常に複雑であるので、若しも一部の部品が破損した場合、部品交換が極めて面倒である。
２．トーションバネ（６５）の両端はそれぞれ連結部材（６４）の側辺及び軸ロッド（６２）上に固設され、そのトーションバネ（６５）のねじり作用により液晶ディスプレイ（５０）の角度や位置を調整し固定することができるが、図６に示すように、モニター部（５０）の位置が最も低い時は、トーションバネ（６５）のねじり作用によりモニター部（５０）が上昇しやすくなり、場合によってはモニター部（５０）の底端と台座（７０）の上端との間に隙間ができ、モニター部（５０）の位置決め効果が低下してしまう恐れがある。
【０００６】
【課題を解決するための手段】
本考案は、
液晶モニターを有する液晶ディスプレイの支持構造であって、
連結部材（１０）と、二つの枢転部材（２０）と、固設座（３０）と、台座（４０）とを有し、液晶モニターの背面に固設座（３０）が固設され、その固設座（３０）の下部に上方の枢転部材（２０）が設置されると共に、台座（４０）の一端に下方の枢転部材（２０）が設置され、
連結部材（１０）の両側にそれぞれ外側へ延出する固設端（１１，１２）が設けられ、一方の固設端（１１）は上方の枢転部材（２０）に固設されると共に、他方の固設端（１２）は下方の枢転部材（２０）に固設され、
前記枢転部材（２０）の少なくとも一つは軸ロッド（２１）を備え、その両端にそれぞれ外側へ延出するロッド端（２１３）が設けられると共に、ロッド端（２１３）上に固定座（２２）、弾性プレート（２４）及びプレート部材（２３）が環装されることにより、押し付け固定状態にすることを特徴とする液晶ディスプレイの支持構造、を提供する。
【０００７】
【作用】
本考案は上記の課題を解決するものであり、液晶モニターを有する液晶ディスプレイの支持構造であって、
連結部材と、二つの枢転部材と、固設座と、台座とを有し、液晶モニターの背面に固設座が固設され、その固設座の下部に上方の枢転部材が設置されると共に、台座の一端に下方の枢転部材が設置され、
連結部材の両側にそれぞれ外側へ延出する固設端が設けられ、一方の固設端は上方の枢転部材に固設されると共に、他方の固設端は下方の枢転部材に固設され、
前記枢転部材の少なくとも一つは軸ロッドを備え、その両端にそれぞれ外側へ延出するロッド端が設けられると共に、ロッド端上に固定座、弾性プレート及びプレート部材が環装されることにより、押し付け固定状態にし、
また、固設座の一端に枢転部材の固定座と連結するための固設端が延設されてもよく、
また、台座は、座体と、枢転部材の固定座と連結される固定プレートとからなってもよい。
以上の説明からも分かるように、本考案は構成が非常に単純であると共に、モニター部の位置が最も低い時であっても、モニター部の底端と台座の上端との間に隙間ができないので、モニター部の位置決め効果が低下することはない。故に、本考案は全体の構成から見て優れた実用性を有するものと言える。
【０００８】
以下、添付図面を参照して本考案の好適な実施の形態を詳細に説明する。
【０００９】
【考案の実施の形態】
図１は本考案に係る液晶ディスプレイの支持構造をモニター部に取付けた状態を示す斜視図であり、図２は本考案に係る液晶ディスプレイの支持構造の枢転部材を示す平面断面図であり、図３は本考案に係る液晶ディスプレイの支持構造上においてモニター部を調整している状態を示す側面図であり、図４は本考案に係る液晶ディスプレイの支持構造上にモニター部を折畳んだ状態を示す側面図である。
【００１０】
図１に示すように、本考案に係る液晶ディスプレイの支持構造は、連結部材（１０）と、二つの枢転部材（２０）と、固設座（３０）と、台座（４０）とを有し、
連結部材（１０）は上部板（１３）と下部板（１４）とを組み合わせて成り、その両側にそれぞれ外側へ延出する固設端（１１，１２）が設けられ、それら固設端（１１，１２）にはそれぞれ枢転部材（２０）が組み合わされると共に、固設端（１１，１２）の表面にはそれぞれ複数の貫通孔（符号なし）が形成され、それによりモニター部と台座とを連結する。
【００１１】
図２に示すように、その中の少なくとも一つの枢転部材（２０）は軸ロッド（２１）、固定座（２２）、プレート部材（２３）、弾性プレート（２４）及びワッシャー（２５）を組み合わせて成り、その中の軸ロッド（２１）に凹溝（２１１）が形成され、その凹溝（２１１）の表面に複数の固定孔（２１２）が形成されると共に、軸ロッド（２１）の両端にそれぞれ外側へ延出するロッド端（２１３）が設けられる。また、固定座（２２）はＬ字形を呈し、その底端表面に貫通孔（２２１）が形成され、ロッド端（２１３）の上に順にワッシャー（２５）、固定座（２２）、ワッシャー（２５）、弾性プレート（２４）及びプレート部材（２３）が環装され、更に、軸ロッド（２１）の両側におけるロッド端（２１３）が組み合わされることにより、ロッド端（２１３）上において緊合状態を達成している。
【００１２】
前記固設座（３０）はモニター部の背面に直接に固設されると共に、その一側に固設端（３１）が延設され、更に、固設座（３０）の上面にカバー体（３２）が設置され、前記台座（４０）は座体（４１）と固定プレート（４２）とが組み合わされて成り、その内の固定プレート（４２）の一側に凹溝（４２１）が形成される。
【００１３】
また、図１及び図２に示すように、本考案の液晶ディスプレイの支持構造を組立てる時は、前記二つの枢転部材（２０）をそれぞれ固設座（３０）及び台座（４０）の固定プレート（４２）上に固設すると共に、その内上方の枢転部材（２０）と対応する固定座（２２）を、ねじなどを貫通孔（２２１）に螺設することにより直接に固設座（３０）の固設端（３１）の表面に固設し、そして、下方の枢転部材（２０）における固定座（２２）を、ねじなどを貫通孔（２２１）に螺設することにより直接に台座（４０）における固定プレート（４２）の凹溝（４２１）内に組み合わせる。更に、連結部材（１０）の両側における固設端（１１，１２）を、該固設端（１１，１２）の表面に形成される複数の貫通孔及び軸ロッド（２１）の固定孔（２１２）にねじなどを螺設することにより直接に二つの枢転部材（２０）における軸ロッド（２１）の凹溝（２１１）内に固設する。
【００１４】
図３に示すように、本考案の液晶ディスプレイにおけるモニター部の角度を調整する時は、上述したように連結部材（１０）における固設端（１１，１２）がそれぞれ二つの枢転部材（２０）における軸ロッド（２１）の凹溝（２１１）上に固設されている状態であるので、連結部材（１０）を二つの枢転部材（２０）における軸ロッド（２１）に連動させて固定座（２２）上で枢転させれば、モニター部を好みの角度に台座（４０）上において調整することができる。また、本考案の構成によれば、弾性プレート（２４）と、プレート部材（２３）及び固定座（２２）との間が緊合状態となっているので、モニター部の角度を調整した後、優れた効果を発揮することができる。更に、図４に示すように、本考案の液晶ディスプレイにおけるモニター部は台座（４０）上に折畳むことができるので、包装や搬送が極めて便利である。
【００１５】
上述したように、本考案では前記枢転部材（２０）を連結部材（１０）の一端における固設端（１１）のみに組み合わせる場合だけでなく、連結部材（１０）の両端における固設端（１１，１２）に組み合わせることもできる、即ちモニター部及び台座のどちらか一方或いは両方に枢転部材（２０）を組み合わせることができると共に、枢転部材（２０）上における弾性プレート（２４）と、プレート部材（２３）及び固定座（２２）との間が緊合状態を成すので、優れた効果を発揮することができる。
【００１６】
尚、上述の図１乃至図４に示す液晶ディスプレイの支持構造は単に本考案の一部の形態であり、本明細書に示す主張の範囲内であれば如何なる形態に構成させてもよく、また、容易に想到し得る範囲内である場合も、当然本考案の主張範囲に属することは言うまでもない。
【００１７】
【考案の効果】
本考案は上記の構成を有するので、次に示すような効果を有する。
１．本考案は、単に少なくとも一つの枢転部材が連結部材に備わると共に、その連結部材によりモニター部と台座とが連結されるだけの構成であるので、全体の構成が極めて単純である。このことから、本考案では、ある部材が破損した場合、交換作業が楽に行なえるので、非常に便利である。
２．本考案は、モニター部の角度調整を行なった後、弾性プレートと、プレート部材及び固定座との間が緊合状態となるので、優れた固定効果を達成でき、また、図３に示すように、モニター部がもっとも低い位置にある時でも、モニター部の底端と台座の端面との間に間隙は発生しないので、従来のものと比べてモニター部の位置決め効果に優れている。
【図面の簡単な説明】
【図１】本考案に係る液晶ディスプレイの支持構造をモニター部に取付けた状態を示す斜視図である。
【図２】本考案に係る液晶ディスプレイの支持構造の枢転部材を示す平面断面図である。
【図３】本考案に係る液晶ディスプレイの支持構造上においてモニター部を調整している状態を示す側面図である。
【図４】本考案に係る液晶ディスプレイの支持構造上にモニター部を折畳んだ状態を示す側面図である。
【図５】従来に係る液晶ディスプレイの支持構造の平面図である。
【図６】従来に係る液晶ディスプレイの支持構造におけるモニター部を調整している状態を示す側面図である。
【符号の説明】
１０　　　連結部材
１１　　　固設端
１２　　　固設端
１３　　　上部板
１４　　　下部板
２０　　　枢転部材
２１　　　軸ロッド
２１１　　凹溝
２１２　　固定孔
２１３　　ロッド端
２２　　　固定座
２２１　　貫通孔
２３　　　プレート部材
２４　　　弾性プレート
２５　　　ワッシャー
３０　　　固設座
３１　　　固設端
３２　　　カバー体
４０　　　台座
４１　　　座体
４２　　　固定プレート
４２１　　凹溝
５０　　　モニター部
６０　　　枢転部材
６１　　　枢設部材
６２　　　軸ロッド
６３　　　固定ロッド
６４　　　連結部材
６５　　　トーションバネ
６６　　　連結ロッド
７０　　　台座
７１　　　開口
【図１】
0003097908.tif 000003
【図２】
0003097908.tif 000004
【図３】
0003097908.tif 000005
【図４】
0003097908.tif 000006
【図５】
0003097908.tif 000007
【図６】
0003097908.tif 000008